(57)【要約】  リソース割当方法、端末、ネットワーク機器及びコンピュータ記憶媒体を提供している。当該リソース割当方法は、端末が第一指示情報及び／又は第二指示情報をネットワーク機器に送信することであって、第一指示情報には、端末の帯域の組み合わせの下での電力クラス類型が含まれ、第二指示情報には、帯域の組み合わせに対応する能力が含まれる、送信することを含む。【選択図】  図１
2021533694.tif 000002
【特許請求の範囲】
【請求項１】
端末が第一指示情報及び／又は第二指示情報をネットワーク機器に送信することであって、
前記第一指示情報には、前記端末の帯域の組み合わせの下での電力クラス類型が含まれ、前記第二指示情報には、前記帯域の組み合わせに対応する能力が含まれる、送信することを含む、リソース割当方法。
【請求項２】
前記端末の帯域の組み合わせには、キャリア集約と、デュアル接続と、マルチＲＡＴデュアル接続と、補助上り伝送ＳＵＬ（ｓｕｐｐｌｅｍｅｎｔａｒｙ  ｕｐｌｉｎｋ）とのうち、少なくとも１つをサポートすることが含まれる、請求項１に記載の方法。
【請求項３】
前記マルチＲＡＴデュアル接続は、長期進化ＬＴＥ（Ｌｏｎｇ  Ｔｅｒｍ  Ｅｖｏｌｕｔｉｏｎ）及び新無線ＮＲ（Ｎｅｗ  Ｒａｄｉｏ）のデュアル接続である、請求項２に記載の方法。
【請求項４】
前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤ（ｆｒｅｑｕｅｎｃｙ  ｄｉｖｉｓｉｏｎ  ｄｕｐｌｅｘｉｎｇ）の場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる、請求項１に記載の方法。
【請求項５】
前記端末が前記ネットワーク機器からの第三指示情報を受信することであって、前記第三指示情報には、上下り設定情報が含まれる、受信することを更に含む、請求項４に記載の方法。
【請求項６】
前記第一評価期間内でスケジューリングされ得る又は伝送され得るＮＲ（ｎｅｗ  ｒａｄｉｏ）の最大上り割合は、前記上下り設定情報に基づいて特定される、請求項５に記載の方法。
【請求項７】
前記上下り設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下り設定情報、又は、
前記端末がキャリア集約、デュアル接続、又はＳＵＬをサポートする場合、少なくとも２つのキャリア又はセルの上下り設定情報が含まれる、請求項５に記載の方法。
【請求項８】
前記端末がネットワーク機器からの第三指示情報を受信することは、
前記端末が前記第三指示情報を付帯するブロードキャスト情報を受信すること、又は、前記端末が前記第三指示情報を付帯する専用シグナリングを受信することを含む、請求項５に記載の方法。
【請求項９】
前記端末が前記第三指示情報を付帯する専用シグナリングを受信することは、
前記端末が前記第三指示情報を付帯する第一専用シグナリングを受信することであって、前記第三指示情報は、新しく追加されたセカンダリキャリア又はセカンダリセルの上下り設定情報を前記端末に通知するためのものである、受信すること、又は、
前記端末が前記第三指示情報を付帯する第二専用シグナリングを受信することであって、前記第三指示情報は、ハンドオーバ後のターゲットセルの上下り設定情報を前記端末に通知するためのものである、受信することを含む、請求項８に記載の方法。
【請求項１０】
前記端末が前記ネットワーク機器からの第四指示情報を受信することであって、前記第四指示情報には、電力ヘッドルームレポートＰＨＲ（ｐｏｗｅｒ  ｈｅａｄｒｏｏｍ  ｒｅｐｏｒｔ）の設定情報が含まれる、受信することを更に含み、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる、請求項１に記載の方法。
【請求項１１】
前記端末が前記ＰＨＲの設定情報に基づいて第五指示情報をネットワークに送信することであって、前記第五指示情報には、端末の帯域の組み合わせの下での電力ヘッドルームレポートＰＨＲが含まれる、送信することを更に含む、請求項１０に記載の方法。
【請求項１２】
前記端末がマルチＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる、請求項１０に記載の方法。
【請求項１３】
前記第五指示情報に含まれるＰＨＲには、
ＬＴＥネットワークのＰＨＲをＬＴＥネットワークに報告する旨、
ＮＲネットワークのＰＨＲをＮＲネットワークに報告する旨、
ＮＲネットワークのＰＨＲをＬＴＥネットワークに報告する旨、及び
ＬＴＥネットワークのＰＨＲをＮＲネットワークに報告する旨のうち、少なくとも１つが含まれる、請求項１１に記載の方法。
【請求項１４】
第二評価期間内で、もし前記端末の上り送信、又はスケジューリングされた上りの量が前記端末の上り送信能力を超える場合、前記端末が、電力をバックオフさせるか、或いは電力クラスを低下させるように制御することを更に含む、請求項１〜１３の何れか一項に記載の方法。
【請求項１５】
前記端末が、電力バックオフ後又は電力クラス低下後の電力に基づいて、サービングセルにおいて自身にとって設定可能な最大出力電力を計算することを更に含む、請求項１４に記載の方法。
【請求項１６】
前記端末が、更新された第五指示情報を前記ネットワーク機器に送信することであって、前記更新された第五指示情報には、更新された最大発信電力又は電力クラスが含まれる、送信することを更に含む、請求項１５に記載の方法。
【請求項１７】
前記上り割合の組み合わせは、電磁放射の比吸収率ＳＡＲ（Ｓｐｅｃｉｆｉｃ  Ａｂｓｏｒｐｔｉｏｎ  Ｒａｔｉｏ）の要求に適合することを保証するために、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される、請求項４に記載の方法。
【請求項１８】
ネットワーク機器が端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信することと、
前記ネットワーク機器が、前記第一指示情報及び／又は第二指示情報に基づいて、前記端末の上り伝送をスケジューリングすることとを含む、リソース割当方法。
【請求項１９】
前記端末の帯域の組み合わせには、キャリア集約と、デュアル接続と、マルチＲＡＴデュアル接続と、補助上り伝送ＳＵＬとのうち、少なくとも１つをサポートすることが含まれる、請求項１８に記載の方法。
【請求項２０】
前記マルチＲＡＴデュアル接続は、長期進化ＬＴＥ及び新無線ＮＲのデュアル接続である、請求項１９に記載の方法。
【請求項２１】
前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる、請求項１８に記載の方法。
【請求項２２】
前記ネットワーク機器が第三指示情報を前記端末に送信することであって、前記第三指示情報には、上下りタイムスロット設定情報が含まれる、送信することを更に含む、請求項２１に記載の方法。
【請求項２３】
前記上下りタイムスロット設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下りタイムスロット設定情報、又は、
前記端末がキャリア集約、デュアル接続、又はＳＵＬをサポートする場合、少なくとも２つのキャリア又はセルの上下り設定情報が含まれる、請求項２２に記載の方法。
【請求項２４】
前記ネットワーク機器が第三指示情報を前記端末に送信することは、
前記ネットワーク機器がブロードキャスト情報を介して第三指示情報を前記端末に送信すること、又は、
前記ネットワーク機器が専用シグナリングを介して第三指示情報を前記端末に送信することを含む、請求項２２に記載の方法。
【請求項２５】
前記ネットワーク機器が専用シグナリングを介して第三指示情報を前記端末に送信することは、
前記ネットワーク機器が第一専用シグナリングを介して第三指示情報を前記端末に送信することであって、前記第三指示情報は、新しく追加されたセカンダリキャリア又はセカンダリセルの上下り設定情報を前記端末に通知するためのものである、送信すること、又は、
前記ネットワーク機器が第二専用シグナリングを介して第三指示情報を前記端末に送信することであって、前記第三指示情報は、ハンドオーバ後のターゲットセルの上下り設定情報を前記端末に通知するためのものである、送信することを含む、請求項２４に記載の方法。
【請求項２６】
前記ネットワーク機器が第四指示情報を前記端末に送信することであって、前記第四指示情報には、電力ヘッドルームレポートＰＨＲの設定情報が含まれる、送信することを更に含み、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる、請求項１８に記載の方法。
【請求項２７】
前記端末が異ＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる、請求項２６に記載の方法。
【請求項２８】
前記ネットワーク機器が前記端末からの第五指示情報を受信することであって、前記第五指示情報には、端末の帯域の組み合わせの下での電力ヘッドルームレポートＰＨＲが含まれる、受信することを更に含む、請求項２６に記載の方法。
【請求項２９】
前記ネットワーク機器が、前記第一指示情報及び／又は第二指示情報に基づいて、前記端末の上り伝送をスケジューリングすることは、
前記ネットワーク機器が、前記第一指示情報、前記第二指示情報及び前記第三指示情報のうち、少なくとも１つの情報に基づいて、前記端末の上り伝送をスケジューリングすることを含む、請求項２８に記載の方法。
【請求項３０】
前記ネットワーク機器が、前記第一指示情報、第二指示情報及び第三指示情報のうち、少なくとも１つの情報に基づいて、前記端末の上り伝送をスケジューリングすることは、
前記ネットワーク機器が、前記第一指示情報、第二指示情報及び第三指示情報のうち、少なくとも１つの指示情報に基づいて、前記端末に上りリソースを割り当て、前記上りリソースのリソーススケジューリング情報を前記端末に送信することを含む、請求項２９に記載の方法。
【請求項３１】
前記上り割合の組み合わせは、電磁放射の比吸収率ＳＡＲ（Ｓｐｅｃｉｆｉｃ  Ａｂｓｏｒｐｔｉｏｎ  Ｒａｔｉｏ）の要求に適合することを保証するために、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される、請求項２１に記載の方法。
【請求項３２】
端末であって、第一指示情報及び／又は第二指示情報をネットワーク機器に送信するための第一送信ユニットを含み、前記第一指示情報には、前記端末の帯域の組み合わせの下での電力クラス類型が含まれ、前記第二指示情報には、前記帯域の組み合わせに対応する能力が含まれる、端末。
【請求項３３】
前記端末の帯域の組み合わせには、キャリア集約と、デュアル接続と、マルチＲＡＴデュアル接続と、補助上り伝送ＳＵＬとのうち、少なくとも１つをサポートすることが含まれる、請求項３２に記載の端末。
【請求項３４】
前記マルチＲＡＴデュアル接続は、長期進化ＬＴＥ及び新無線ＮＲのデュアル接続である、請求項３３に記載の端末。
【請求項３５】
前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる、請求項３２に記載の端末。
【請求項３６】
前記ネットワーク機器からの第三指示情報を受信するための第一受信ユニットを更に含み、前記第三指示情報には、上下り設定情報が含まれる、請求項３５に記載の端末。
【請求項３７】
前記第一評価期間内でスケジューリングされ得る又は伝送され得るＮＲの最大上り割合は、前記上下り設定情報に基づいて特定される、請求項３６に記載の端末。
【請求項３８】
前記上下り設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下り設定情報、又は、
前記端末がキャリア集約、デュアル接続、又はＳＵＬをサポートする場合、少なくとも２つのキャリア又はセルの上下り設定情報が含まれる、請求項３６に記載の端末。
【請求項３９】
前記第一受信ユニットは、前記第三指示情報を付帯するブロードキャスト情報の受信、又は前記第三指示情報を付帯する専用シグナリングの受信に用いられる、請求項３６に記載の端末。
【請求項４０】
前記第一受信ユニットは、
前記第三指示情報を付帯する第一専用シグナリングを受信することであって、前記第三指示情報は、新しく追加されたセカンダリキャリア又はセカンダリセルの上下り設定情報を前記端末に通知するためのものである、受信するために用いられるか、又は
前記第三指示情報を付帯する第二専用シグナリングを受信することであって、前記第三指示情報は、ハンドオーバ後のターゲットセルの上下り設定情報を前記端末に通知するためのものである、受信するために用いられる、請求項３９に記載の端末。
【請求項４１】
前記ネットワーク機器からの第四指示情報を受信するための第一受信ユニットを更に含み、前記第四指示情報には、電力ヘッドルームレポートＰＨＲの設定情報が含まれ、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる、請求項３２に記載の端末。
【請求項４２】
前記第一送信ユニットは、前記ＰＨＲの設定情報に基づいて第五指示情報をネットワークに送信することであって、前記第五指示情報には、端末の帯域の組み合わせの下でのＰＨＲが含まれる、送信するために更に用いられる、請求項４１に記載の端末。
【請求項４３】
前記端末がマルチＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる、請求項４１に記載の端末。
【請求項４４】
前記第五指示情報に含まれるＰＨＲには、
ＬＴＥネットワークのＰＨＲをＬＴＥネットワークに報告する旨、
ＮＲネットワークのＰＨＲをＮＲネットワークに報告する旨、
ＮＲネットワークのＰＨＲをＬＴＥネットワークに報告する旨、及び
ＬＴＥネットワークのＰＨＲをＮＲネットワークに報告する旨のうち、少なくとも１つが含まれる、請求項４２に記載の端末。
【請求項４５】
第二評価期間内で、もし前記端末の上り送信又はスケジューリングされた上りの量が前記端末の上り送信能力を超える場合、前記端末が、電力をバックオフさせるか、或いは電力クラスを低下させるように制御するための制御ユニットを更に含む、請求項３２〜４４の何れか一項に記載の端末。
【請求項４６】
前記制御ユニットは、電力バックオフ後又は電力クラス低下後の電力に基づいて、サービングセルにおいて自身にとって設定可能な最大出力電力を計算するために更に用いられる、請求項４５に記載の端末。
【請求項４７】
前記第一送信ユニットは、更新された第五指示情報を前記ネットワーク機器に送信することであって、前記更新された第五指示情報には、更新された最大発信電力又は電力クラスが含まれる、送信するためにさらに用いられる、請求項４６に記載の端末。
【請求項４８】
前記上り割合の組み合わせは、電磁放射の比吸収率ＳＡＲの要求に適合することを保証するために、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される、請求項３５に記載の端末。
【請求項４９】
第二受信ユニット及びスケジューリングユニットを含むネットワーク機器であって、
前記第二受信ユニットは、端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信するために用いられ、
前記スケジューリングユニットは、前記第一指示情報及び／又は第二指示情報に基づいて、前記端末の上り伝送をスケジューリングするために用いられる、ネットワーク機器。
【請求項５０】
前記端末の帯域の組み合わせには、キャリア集約と、デュアル接続と、マルチＲＡＴデュアル接続と、補助上り伝送ＳＵＬとのうち、少なくとも１つをサポートすることが含まれる、請求項４９に記載のネットワーク機器。
【請求項５１】
前記マルチＲＡＴデュアル接続は、長期進化ＬＴＥ及び新無線ＮＲのデュアル接続である、請求項５０に記載のネットワーク機器。
【請求項５２】
前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる、請求項４９に記載のネットワーク機器。
【請求項５３】
第三指示情報を前記端末に送信することであって、前記第三指示情報には、上下りタイムスロット設定情報が含まれる、送信するための第二送信ユニットを更に含む、請求項５２に記載のネットワーク機器。
【請求項５４】
前記上下りタイムスロット設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下りタイムスロット設定情報、又は、
前記端末がキャリア集約、デュアル接続、又はＳＵＬをサポートする場合、少なくとも２つのキャリア又はセルの上下り設定情報が含まれる、請求項５３に記載のネットワーク機器。
【請求項５５】
前記第二送信ユニットは、ブロードキャスト情報を介して第三指示情報を前記端末に送信するために用いられるか、又は、
専用シグナリングを介して第三指示情報を前記端末に送信するために用いられる、請求項５３に記載のネットワーク機器。
【請求項５６】
前記第二送信ユニットは、
第一専用シグナリングを介して第三指示情報を前記端末に送信することであって、前記第三指示情報は、新しく追加されたセカンダリキャリア又はセカンダリセルの上下り設定情報を前記端末に通知するためのものである、送信するために用いられるか、又は、
第二専用シグナリングを介して第三指示情報を前記端末に送信することであって、前記第三指示情報は、ハンドオーバ後のターゲットセルの上下り設定情報を前記端末に通知するためのものである、送信するために用いられる、請求項５５に記載のネットワーク機器。
【請求項５７】
第四指示情報を前記端末に送信することであって、前記第四指示情報には、電力ヘッドルームレポートＰＨＲの設定情報が含まれる、送信するための第二送信ユニットを更に含み、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる、請求項４９に記載のネットワーク機器。
【請求項５８】
前記端末が異ＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる、請求項５７に記載のネットワーク機器。
【請求項５９】
前記第二受信ユニットは、前記端末からの第五指示情報を受信することであって、前記第五指示情報には、端末の帯域の組み合わせの下でのＰＨＲが含まれる、受信するために更に用いられる、請求項５７に記載のネットワーク機器。
【請求項６０】
前記スケジューリングユニットは、前記第一指示情報、前記第二指示情報及び前記第三指示情報のうち、少なくとも１つの情報に基づいて、前記端末の上り伝送をスケジューリングするために用いられる、請求項５９に記載のネットワーク機器。
【請求項６１】
前記スケジューリングユニットは、前記第一指示情報、第二指示情報及び第三指示情報のうち、少なくとも１つの指示情報に基づいて、前記端末に上りリソースを割り当て、前記上りリソースのリソーススケジューリング情報を前記端末に送信するために用いられる、請求項６０に記載のネットワーク機器。
【請求項６２】
前記上り割合の組み合わせは、電磁放射の比吸収率ＳＡＲの要求に適合することを保証するために、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される、請求項５２に記載のネットワーク機器。
【請求項６３】
コンピュータプログラムを記憶した記憶媒体であって、当該プログラムがプロセッサによって実行されると、請求項１〜１７の何れか一項に記載の方法が実現されるか、或いは、当該プログラムがプロセッサによって実行されると、請求項１８〜３１の何れか一項に記載の方法が実現される、コンピュータ読取可能な記憶媒体。
【請求項６４】
メモリと、プロセッサと、メモリに記憶されてプロセッサ上で動作可能なコンピュータプログラムとを含み、前記プログラムが前記プロセッサによって実行されると、請求項１〜１７の何れか一項に記載の方法が実現される、端末。
【請求項６５】
メモリと、プロセッサと、メモリに記憶されてプロセッサ上で動作可能なコンピュータプログラムとを含み、前記プログラムが前記プロセッサによって実行されると、請求項１８〜３１の何れか一項に記載の方法が実現される、ネットワーク機器。
【発明の詳細な説明】
【技術分野】
【０００１】
関連出願の相互参照
本願は、２０１８年８月９日に中国で出願された中国特許出願第２０１８１０９０４６３８．６号の優先権を主張し、その内容の全ては、援用により本願に組み込まれる。
本開示は、無線通信技術に関し、具体的な的に、リソース割当方法、端末、ネットワーク機器及びコンピュータ記憶媒体に関する。
【背景技術】
【０００２】
比吸収率ＳＡＲ（Ｓｐｅｃｉｆｉｃ  Ａｂｓｏｒｐｔｉｏｎ  Ｒａｔｉｏ）とは、単位時間あたりに単位質量の物質によって吸収する電磁放射エネルギーを指す。ＳＡＲ値は通常、端末からの放射による熱効果を測るために国際的に使用され、人体への放射の影響を表すものでもある。ＳＡＲ値が低いほど、吸収される放射量は少なくなる。各国又は地域毎に、ＳＡＲ値に対する強制的な管理要件が策定されており、端末のネットワークエントリーチェックは、それに準拠しなければならない。中国、日本及び欧州連合は、同じ標準を採用しており、任意の１０ｇの物体毎に受け取られるＳＡＲリミット値が、２．０ｗ／ｋｇ未満とされている一方、米国、韓国、オーストラリアは、電気電子技術者協会ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）の標準を参考しており、任意の１０ｇの物体毎に受け取られるＳＡＲリミット値が、１．６ｗ／ｋｇ未満とされている。
【０００３】
長期進化ＬＴＥ（Ｌｏｎｇ  Ｔｅｒｍ  Ｅｖｏｌｕｔｉｏｎ）の段階においては、Ｂａｎｄ  ４１帯域（２４９６〜２６９０ＭＨｚ）に高電力端末、即ち電力が２６ｄＢｍの端末を定義しており、当該端末類型が電力クラスＰＣ（Ｐｏｗｅｒ  Ｃｌａｓｓ）２として定義されている。北米等の地域で採用されているＳＡＲ指標が比較的に厳格であり、端末メーカからは、上りタイムスロットの比率が高い場合、ＳＡＲ要件を満たすことができなくなると指摘されているため、規格では、高電力端末の利用可能な時分割複信ＴＤＤ（Ｔｉｍｅ  Ｄｉｖｉｓｉｏｎ  Ｄｕｐｌｅｘｉｎｇ）上りリンク（Ｕｐ  Ｌｉｎｋ）／下りリンクＤＬ（Ｄｏｗｎ  Ｌｉｎｋ）設定について、米国連邦通信委員会ＦＣＣ（Ｆｅｄｅｒａｌ  Ｃｏｍｍｕｎｉｃａｔｉｏｎｓ  Ｃｏｍｍｉｓｓｉｏｎ）の規制要件が満たされるように、制限をかけている。
【０００４】
ＬＴＥ関連標準を策定した時点では、まず、予測可能なサービス類型は、下りタイムスロットの数よりも上りタイムスロットの数が多くなることに基づくものではなく、そして、関連規格において、上りタイムスロットの比率の高い設定（例えば、上りタイムスロットの比率が５０％超の設定）上でＢａｎｄ  ４１の高電力端末が稼働することを強制的に不許可している。それに、ＬＴＥ時代では、単一帯域の高電力端末のみをサポートしており、上りの帯域が複数集約される場合の高電力端末を取り入れていなかった。
【０００５】
これに対して、５Ｇネットワークでは、端末類型は、より多様であり、単一帯域に対する高電力端末の需要だけでなく、非独立展開ＥＮ−ＤＣ（ＬＴＥ及び新無線ＮＲ（Ｎｅｗ  Ｒａｄｉｏ）デュアル接続）シーン、又は上り集約をサポートするキャリア集約ＣＡ（Ｃａｒｒｉｅｒ  Ａｇｇｒｅｇａｔｉｏｎ）／デュアル接続ＤＣ（Ｄｕａｌ  Ｃｏｎｎｅｃｔｉｖｉｔｙ）／補助上り伝送ＳＵＬ（Ｓｕｐｐｌｅｍｅｎｔａｒｙ  Ｕｐｌｉｎｋ）シーンに対しても、上りの高電力の需要があり、このような集約シーンについては、端末のトータル発信電力が２３ｄＢｍを超える場合、ＳＡＲ要件を如何に満たすかの問題を考慮する必要がある。しかも、ＮＲは、柔軟なフレーム構造を取り入れており、固定のＴＤＤ比率が存在せず、ＮＲの高電力使用を制限すると、ＮＲの柔軟性に悪影響を及ぼしてしまう。集約シーン、特に、クロス帯域の集約、クロスＲＡＴの集約などの集約シーンを考慮すると、２つの帯域のＳＡＲ放射性能が異なる可能性があり、ＳＡＲ要件を満たしながら端末の高電力発信を如何にスケジューリングするかについて、関連技術には、効果的な解決案が未だにない。
【発明の概要】
【発明が解決しようとする課題】
【０００６】
関連技術に存在する技術的課題を解決するために、本開示の実施例は、リソース割当方法、端末、ネットワーク機器及びコンピュータ記憶媒体を提供する。
【課題を解決するための手段】
【０００７】
本開示の実施例は、
端末が第一指示情報及び／又は第二指示情報をネットワーク機器に送信することであって、前記第一指示情報には、前記端末の帯域の組み合わせの下での電力クラス類型が含まれ、前記第二指示情報には、前記帯域の組み合わせに対応する能力が含まれる、送信することを含む、リソース割当方法を提供している。
【０００８】
上記技術案において、前記端末の帯域の組み合わせには、キャリア集約と、デュアル接続と、マルチＲＡＴデュアル接続と、ＳＵＬとのうち、少なくとも１つをサポートすることが含まれる。
【０００９】
上記技術案において、前記マルチＲＡＴデュアル接続は、ＬＴＥ及びＮＲのデュアル接続である。
【００１０】
上記技術案において、前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる。
【００１１】
上記技術案において、前記方法は、前記端末が前記ネットワーク機器からの第三指示情報を受信することであって、前記第三指示情報には、上下り設定情報が含まれる、受信することを更に含む。
【００１２】
上記技術案において、前記第一評価期間内でスケジューリングされ得る又は伝送され得るＮＲの最大上り割合は、前記上下り設定情報に基づいて特定される。
【００１３】
上記技術案において、前記上下り設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下り設定情報、又は、
前記端末がキャリア集約、デュアル接続、又はＳＵＬをサポートする場合、少なくとも２つのキャリア又はセルの上下り設定情報が含まれる。
【００１４】
上記技術案において、前記端末がネットワーク機器からの第三指示情報を受信することは、
前記端末が前記第三指示情報を付帯するブロードキャスト情報を受信すること、又は、前記端末が前記第三指示情報を付帯する専用シグナリングを受信することを含む。
【００１５】
上記技術案において、前記端末が前記第三指示情報を付帯する専用シグナリングを受信することは、
前記端末が前記第三指示情報を付帯する第一専用シグナリングを受信することであって、前記第三指示情報は、新しく追加されたセカンダリキャリア又はセカンダリセルの上下り設定情報を前記端末に通知するためのものである、受信すること、又は、
前記端末が前記第三指示情報を付帯する第二専用シグナリングを受信することであって、前記第三指示情報は、ハンドオーバ後のターゲットセルの上下り設定情報を前記端末に通知するためのものである、受信することを含む。
【００１６】
上記技術案において、前記方法は、前記端末が前記ネットワーク機器からの第四指示情報を受信することであって、前記第四指示情報には、電力ヘッドルームレポートＰＨＲ（ｐｏｗｅｒ  ｈｅａｄｒｏｏｍ  ｒｅｐｏｒｔ）の設定情報が含まれる、受信することを更に含み、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる。
【００１７】
上記技術案において、前記方法は、前記端末が前記ＰＨＲの設定情報に基づいて第五指示情報をネットワークに送信することであって、前記第五指示情報には、端末の帯域の組み合わせの下での電力ヘッドルームレポートＰＨＲが含まれる、送信することを更に含む。
【００１８】
上記技術案において、前記端末がマルチＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる。
【００１９】
上記技術案において、前記第五指示情報に含まれるＰＨＲには、
ＬＴＥネットワークのＰＨＲをＬＴＥネットワークに報告する旨、
ＮＲネットワークのＰＨＲをＮＲネットワークに報告する旨、
ＮＲネットワークのＰＨＲをＬＴＥネットワークに報告する旨、及び
ＬＴＥネットワークのＰＨＲをＮＲネットワークに報告する旨のうち、少なくとも１つが含まれる。
【００２０】
上記技術案において、前記方法は、
第二評価期間内で、もし前記端末の上り送信又はスケジューリングされた上りの量が前記端末の上り送信能力を超える場合、前記端末が、電力をバックオフさせるか、或いは電力クラスを低下させるように制御することを更に含む。
【００２１】
上記技術案において、前記方法は、前記端末が、電力バックオフ後又は電力クラス低下後の電力に基づいて、サービングセルにおいて自身にとって設定可能な最大出力電力を計算することを更に含む。
【００２２】
上記技術案において、前記方法は、前記端末が、更新された第五指示情報を前記ネットワーク機器に送信することであって、前記更新された第五指示情報には、更新された最大発信電力又は電力クラスが含まれる、送信することを更に含む。
【００２３】
上記技術案において、前記上り割合の組み合わせは、電磁放射の比吸収率に要求されるリミット値が満たされる下で、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される。
【００２４】
本開示の実施例は、
ネットワーク機器が端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信することと、
前記ネットワーク機器が、前記第一指示情報及び／又は第二指示情報に基づいて、前記端末の上り伝送をスケジューリングすることとを含む、リソース割当方法を更に提供している。
【００２５】
上記技術案において、前記端末の帯域の組み合わせには、キャリア集約と、デュアル接続と、マルチＲＡＴデュアル接続と、ＳＵＬとのうち、少なくとも１つをサポートすることが含まれる。
【００２６】
上記技術案において、前記マルチＲＡＴデュアル接続は、ＬＴＥ及びＮＲのデュアル接続である。
【００２７】
上記技術案において、前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる。
【００２８】
上記技術案において、前記方法は、前記ネットワーク機器が第三指示情報を前記端末に送信することであって、前記第三指示情報には、上下りタイムスロット設定情報が含まれる、送信することを更に含む。
【００２９】
上記技術案において、前記上下りタイムスロット設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下りタイムスロット設定情報、又は、
前記端末がキャリア集約、デュアル接続、又はＳＵＬをサポートする場合、少なくとも２つのキャリア又はセルの上下り設定情報が含まれる。
【００３０】
上記技術案において、前記ネットワーク機器が第三指示情報を前記端末に送信することは、
前記ネットワーク機器がブロードキャスト情報を介して第三指示情報を前記端末に送信すること、又は、
前記ネットワーク機器が専用シグナリングを介して第三指示情報を前記端末に送信することを含む。
【００３１】
上記技術案において、前記ネットワーク機器が専用シグナリングを介して第三指示情報を前記端末に送信することは、
前記ネットワーク機器が第一専用シグナリングを介して第三指示情報を前記端末に送信することであって、前記第三指示情報は、新しく追加されたセカンダリキャリア又はセカンダリセルの上下り設定情報を前記端末に通知するためのものである、送信すること、又は、
前記ネットワーク機器が第二専用シグナリングを介して第三指示情報を前記端末に送信することであって、前記第三指示情報は、ハンドオーバ後のターゲットセルの上下り設定情報を前記端末に通知するためのものである、送信することを含む。
【００３２】
上記技術案において、前記方法は、前記ネットワーク機器が第四指示情報を前記端末に送信することであって、前記第四指示情報には、電力ヘッドルームレポートＰＨＲの設定情報が含まれる、送信することを更に含み、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる。
【００３３】
上記技術案において、前記端末が異ＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる。
【００３４】
上記技術案において、前記方法は、前記ネットワーク機器が前記端末からの第五指示情報を受信することであって、前記第五指示情報には、端末の帯域の組み合わせの下での電力ヘッドルームレポートＰＨＲが含まれる、受信することを更に含む。
【００３５】
上記技術案において、前記ネットワーク機器が、前記第一指示情報及び／又は第二指示情報に基づいて、前記端末の上り伝送をスケジューリングすることは、
前記ネットワーク機器が、前記第一指示情報、前記第二指示情報及び前記第三指示情報のうち、少なくとも１つの情報に基づいて、前記端末の上り伝送をスケジューリングすることを含む。
【００３６】
上記技術案において、前記ネットワーク機器が、前記第一指示情報、第二指示情報及び第三指示情報のうち、少なくとも１つの情報に基づいて、前記端末の上り伝送をスケジューリングすることは、
前記ネットワーク機器が、前記第一指示情報、第二指示情報及び第三指示情報のうち、少なくとも１つの指示情報に基づいて、前記端末に上りリソースを割り当て、前記上りリソースのリソーススケジューリング情報を前記端末に送信することを含む。
【００３７】
上記技術案において、前記上り割合の組み合わせは、電磁放射の比吸収率に要求されるリミット値が満たされる下で、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される。
【００３８】
本開示の実施例は、端末であって、第一指示情報及び／又は第二指示情報をネットワーク機器に送信するための第一送信ユニットを含み、前記第一指示情報には、前記端末の帯域の組み合わせの下での電力クラス類型が含まれ、前記第二指示情報には、前記帯域の組み合わせに対応する能力が含まれる、端末を更に提供している。
【００３９】
上記技術案において、前記端末の帯域の組み合わせには、キャリア集約と、デュアル接続と、マルチＲＡＴデュアル接続と、ＳＵＬとのうち、少なくとも１つをサポートすることが含まれる。
【００４０】
上記技術案において、前記マルチＲＡＴデュアル接続は、ＬＴＥ及びＮＲのデュアル接続である。
【００４１】
上記技術案において、前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる。
【００４２】
上記技術案において、前記端末は、前記ネットワーク機器からの第三指示情報を受信するための第一受信ユニットを更に含み、前記第三指示情報には、上下り設定情報が含まれる。
【００４３】
上記技術案において、前記第一評価期間内でスケジューリングされ得る又は伝送され得るＮＲの最大上り割合は、前記上下り設定情報に基づいて特定される。
【００４４】
上記技術案において、前記上下り設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下り設定情報、又は、
前記端末がキャリア集約、デュアル接続、又はＳＵＬをサポートする場合、少なくとも２つのキャリア又はセルの上下り設定情報が含まれる。
【００４５】
上記技術案において、前記第一受信ユニットは、前記第三指示情報を付帯するブロードキャスト情報の受信、又は前記第三指示情報を付帯する専用シグナリングの受信に用いられる。
【００４６】
上記技術案において、前記第一受信ユニットは、前記第三指示情報を付帯する第一専用シグナリングを受信することであって、前記第三指示情報は、新しく追加されたセカンダリキャリア又はセカンダリセルの上下り設定情報を前記端末に通知するためのものである、受信するために用いられるか、又は
前記第三指示情報を付帯する第二専用シグナリングを受信することであって、前記第三指示情報は、ハンドオーバ後のターゲットセルの上下り設定情報を前記端末に通知するためのものである、受信するために用いられる。
【００４７】
上記技術案において、前記端末は、前記ネットワーク機器からの第四指示情報を受信するための第一受信ユニットを更に含み、前記第四指示情報には、ＰＨＲの設定情報が含まれ、前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる。
【００４８】
上記技術案において、前記第一送信ユニットは、前記ＰＨＲの設定情報に基づいて第五指示情報をネットワークに送信することであって、前記第五指示情報には、端末の帯域の組み合わせの下でのＰＨＲが含まれる、送信するために更に用いられる。
【００４９】
上記技術案において、前記端末がマルチＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる。
【００５０】
上記技術案において、前記第五指示情報に含まれるＰＨＲには、
ＬＴＥネットワークのＰＨＲをＬＴＥネットワークに報告する旨、
ＮＲネットワークのＰＨＲをＮＲネットワークに報告する旨、
ＮＲネットワークのＰＨＲをＬＴＥネットワークに報告する旨、及び
ＬＴＥネットワークのＰＨＲをＮＲネットワークに報告する旨のうち、少なくとも１つが含まれる。
【００５１】
上記技術案において、前記端末は、第二評価期間内で、もし前記端末の上り送信又はスケジューリングされた上りの量が前記端末の上り送信能力を超える場合、前記端末が、電力をバックオフさせるか、或いは電力クラスを低下させるように制御するための制御ユニットを更に含む。
【００５２】
上記技術案において、前記制御ユニットは、電力バックオフ後又は電力クラス低下後の電力に基づいて、サービングセルにおいて自身にとって設定可能な最大出力電力を計算するために更に用いられる。
【００５３】
上記技術案において、前記第一送信ユニットは、更新された第五指示情報を前記ネットワーク機器に送信することであって、前記更新された第五指示情報には、更新された最大発信電力又は電力クラスが含まれる、送信するためにさらに用いられる。
【００５４】
上記技術案において、前記上り割合の組み合わせは、電磁放射の比吸収率に要求されるリミット値が満たされる下で、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される。
【００５５】
本開示の実施例は、第二受信ユニット及びスケジューリングユニットを含むネットワーク機器であって、
前記第二受信ユニットは、端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信するために用いられ、
前記スケジューリングユニットは、前記第一指示情報及び／又は第二指示情報に基づいて、前記端末の上り伝送をスケジューリングするために用いられる、ネットワーク機器を更に提供している。
【００５６】
上記技術案において、前記端末の帯域の組み合わせには、キャリア集約と、デュアル接続と、マルチＲＡＴデュアル接続と、ＳＵＬとのうち、少なくとも１つをサポートすることが含まれる。
【００５７】
上記技術案において、前記マルチＲＡＴデュアル接続は、ＬＴＥ及びＮＲのデュアル接続である。
【００５８】
上記技術案において、前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる。
【００５９】
上記技術案において、前記ネットワーク機器は、第三指示情報を前記端末に送信することであって、前記第三指示情報には、上下りタイムスロット設定情報が含まれる、送信するための第二送信ユニットを更に含む。
【００６０】
上記技術案において、前記上下りタイムスロット設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下りタイムスロット設定情報、又は、
前記端末がキャリア集約、デュアル接続、又はＳＵＬをサポートする場合、少なくとも２つのキャリア又はセルの上下り設定情報が含まれる。
【００６１】
上記技術案において、前記第二送信ユニットは、ブロードキャスト情報を介して第三指示情報を前記端末に送信するために用いられるか、又は、専用シグナリングを介して第三指示情報を前記端末に送信するために用いられる。
【００６２】
上記技術案において、前記第二送信ユニットは、
第一専用シグナリングを介して第三指示情報を前記端末に送信することであって、前記第三指示情報は、新しく追加されたセカンダリキャリア又はセカンダリセルの上下り設定情報を前記端末に通知するためのものである、送信するために用いられるか、又は、
第二専用シグナリングを介して第三指示情報を前記端末に送信することであって、前記第三指示情報は、ハンドオーバ後のターゲットセルの上下り設定情報を前記端末に通知するためのものである、送信するために用いられる。
【００６３】
上記技術案において、前記ネットワーク機器は、第四指示情報を前記端末に送信することであって、前記第四指示情報には、ＰＨＲの設定情報が含まれる、送信するための第二送信ユニットを更に含み、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる。
【００６４】
上記技術案において、前記端末が異ＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる。
【００６５】
上記技術案において、前記第二受信ユニットは、前記端末からの第五指示情報の受信に更に用いられ、前記第五指示情報には、端末の帯域の組み合わせの下でのＰＨＲが含まれる。
【００６６】
上記技術案において、前記スケジューリングユニットは、前記第一指示情報、前記第二指示情報及び前記第三指示情報のうち、少なくとも１つの情報に基づいて、前記端末の上り伝送をスケジューリングするために用いられる。
【００６７】
上記技術案において、前記スケジューリングユニットは、前記第一指示情報、第二指示情報及び第三指示情報のうち、少なくとも１つの指示情報に基づいて、前記端末に上りリソースを割り当て、前記上りリソースのリソーススケジューリング情報を前記端末に送信するために用いられる。
【００６８】
上記技術案において、前記上り割合の組み合わせは、電磁放射の比吸収率に要求されるリミット値が満たされる下で、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される。
【００６９】
本開示の実施例は、コンピュータプログラムを記憶したコンピュータ読取可能な記憶媒体であって、当該プログラムがプロセッサによって実行されると、本開示の実施例に記載の、端末に適用されるリソース割当方法が実現されるか、或いは、当該プログラムがプロセッサによって実行されると、本開示の実施例に記載の、ネットワーク機器に適用されるリソース割当方法が実現される、コンピュータ読取可能な記憶媒体を更に提供している。
【００７０】
本開示の実施例は、メモリと、プロセッサと、メモリに記憶されてプロセッサ上で動作可能なコンピュータプログラムとを含み、前記プログラムが前記プロセッサによって実行されると、本開示の実施例に記載の、端末に適用されるリソース割当方法が実現される、端末を更に提供している。
【００７１】
本開示の実施例は、メモリと、プロセッサと、メモリに記憶されてプロセッサ上で動作可能なコンピュータプログラムとを含み、前記プログラムが前記プロセッサによって実行されると、本開示の実施例に記載の、ネットワーク機器に適用されるリソース割当方法が実現される、ネットワーク機器を更に提供している。
【発明の効果】
【００７２】
本開示の実施例に係るリソース割当方法、端末、ネットワーク機器及びコンピュータ記憶媒体によれば、前記方法は、端末が第一指示情報及び／又は第二指示情報をネットワーク機器に送信することであって、前記第一指示情報には、前記端末の帯域の組み合わせの下での電力クラス類型が含まれ、前記第二指示情報には、前記帯域の組み合わせに対応する能力が含まれる、送信することを含む。ネットワーク機器は、端末からの第一指示情報及び／又は第二指示情報を受信し、前記第一指示情報及び／又は第二指示情報に基づいて、前記端末の上り伝送をスケジューリングする。本開示の実施例に係る技術案を用いれば、帯域の組み合わせの下での電力クラス類型及び／又は帯域の組み合わせに対応する能力を端末によって報告することで、ネットワーク機器は、端末の帯域の組み合わせの下での電力クラス類型及び／又は帯域の組み合わせに対応する能力を知り、電磁放射の比吸収率に要求されるリミット値が満たされる下で、知った情報に基づいて端末の上り伝送を合理的にスケジューリングすることが容易になり、クロス帯域、クロスＲＡＴの集約シーンに特に適している。
【図面の簡単な説明】
【００７３】
【図１】本開示の実施例によるリソース割当方法のフロー模式図その一である。
【図２】本開示の実施例によるリソース割当方法のフロー模式図その二である。
【図３】本開示の実施例によるリソース割当方法のフロー模式図その三である。
【図４】本開示の実施例によるリソース割当方法のフロー模式図その四である。
【図５】本開示の実施例による端末の構造模式図である。
【図６】本開示の実施例による端末の別の構造模式図である。
【図７】本開示の実施例による端末の更なる別の構造模式図である。
【図８】本開示の実施例によるネットワーク機器の構造模式図である。
【図９】本開示の実施例によるネットワーク機器の別の構造模式図。
【発明を実施するための形態】
【００７４】
以下、図面及び具体的な実施例を参照して、本開示を更に詳しく説明する。
【００７５】
本開示の実施例は、リソース割当方法を提供しており、図１は、本開示の実施例によるリソース割当方法のフロー模式図その一であり、図１に示すように、前記方法は、以下のステップを含む。
【００７６】
ステップ１０１：端末が第一指示情報及び／又は第二指示情報をネットワーク機器に送信し、前記第一指示情報には、前記端末の帯域の組み合わせの下での電力クラス類型が含まれ、前記第二指示情報には、前記帯域の組み合わせに対応する能力が含まれる。
【００７７】
本実施例において、前記端末の帯域の組み合わせには、キャリア集約と、デュアル接続と、マルチＲＡＴデュアル接続と、ＳＵＬとのうち、少なくとも１つをサポートすることが含まれる。そのうち、前記マルチＲＡＴデュアル接続は、ＬＴＥ及びＮＲのデュアル接続である。
【００７８】
本実施例において、前記第一指示情報には、前記端末の帯域の組み合わせの下での電力クラス類型が含まれ、端末の帯域の組み合わせの下での電力クラス類型は、例えば表１に示す通りであり、ｏｐｔｉｏｎ  Ｂ、Ｃ、Ｆ、Ｉ等の類型、即ち電力が２６ｄＢｍのｐｏｗｅｒ  ｃｌａｓｓ２（ＰＣ２）類型について、端末は、第一指示情報によって電力クラス類型を報告する必要がある。
【００７９】
【表１】
2021533694.tif 000003
【００８０】
本実施例において、前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる。
【００８１】
そのうち、前記上り割合の組み合わせは、電磁放射の比吸収率に要求されるリミット値が満たされる下で、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される。
【００８２】
一実施形態として、前記第二指示情報には、帯域の組み合わせに対して、電磁放射の比吸収率に要求されるリミット値が満たされる下で、第一評価期間内でスケジューリングされ得る、又は、伝送され得るオーバーオールの最大上り割合が含まれる。例えば、端末は、バンド（Ｂａｎｄ）ＡとバンドＢとの組み合わせの下で、サポートされるオーバーオールの最大上り割合が６０％である旨を報告する。
【００８３】
一実施形態として、前記第二指示情報には、帯域の組み合わせに対して、電磁放射の比吸収率に要求されるリミット値が満たされる下で、第一評価期間内でスケジューリングされ得る又は伝送され得る上り割合の組み合わせが含まれる。具体的に表２に示す通りであり、表２は、端末をスケジューリングできるバンドＡとバンドＢとにおいての上り割合の組み合わせのサポート状況を示しており、１はサポートすることを表し、０はサポートしないことを表す。
【００８４】
【表２】
2021533694.tif 000004
【００８５】
一実施形態として、前記第二指示情報には、帯域の組み合わせに対して、電磁放射の比吸収率に要求されるリミット値が満たされる下で、第一評価期間内でスケジューリングされ得る又は伝送され得る上り割合の組み合わせ及び上り割合の粒度が含まれる。例えば表２を参照して、表２は、端末をスケジューリングできる又は端末による伝送の利用可能な上り割合の組み合わせ、及び表２内の粒度が１０％であることを示している。
【００８６】
一実施形態として、前記第二指示情報には、帯域の組み合わせに対して、電磁放射の比吸収率に要求されるリミット値が満たされる下で、第一評価期間内でスケジューリングされ得る又は伝送され得る上り割合の組み合わせの識別子が含まれる。一例として、端末において、表２に示すような少なくとも１つのテーブルを予め定義し、それぞれのテーブルは、異なる上り割合の組み合わせを示すようにしてもよい。そうすると、端末をスケジューリングできる又は端末による伝送の利用可能な上り割合の組み合わせの識別子は、具体的に、予め定義されたテーブルの識別子であってもよく、即ち、端末は、テーブルの具体的な内容を報告せずに、テーブルの識別子だけを報告することになるため、データのオーバーヘッドを大幅に節約できる。
【００８７】
一実施形態として、前記第二指示情報には、帯域の組み合わせに対して、電磁放射の比吸収率に要求されるリミット値が満たされる下で、第一評価期間内でスケジューリングされ得る又は伝送され得る最大上り割合の組み合わせが含まれる。例えば、端末は、バンドＡとバンドＢとの組み合わせの下で、サポートされるオーバーオールの最大上り割合がバンドＡ  ５０％、バンドＢ  ５０％である旨を報告する。
【００８８】
一実施形態として、前記第二指示情報には、帯域の組み合わせに対して、電磁放射の比吸収率に要求されるリミット値が満たされる下で、プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせが含まれる。本実施形態は、ＥＮ−ＤＣシーンに適用され、前記プライマリキャリア又は第一ＲＡＴは、ＬＴＥネットワークに対応し、ＬＴＥネットワーク側は、固定のタイムスロット比率を用い、即ち上下り設定が０〜６であり、セカンダリキャリア又は第二ＲＡＴは、ＮＲネットワークに対応し、ＮＲネットワーク側は、動的な上下りタイムスロット比率を用い、一例として、表３を参照してもよい。表３は、端末のＬＴＥでのＴＤＤの上下り設定が０〜６の場合、ＮＲでのスケジューリングされ得る又は伝送され得る上り割合の組み合わせのサポート状況を示しており、１はサポートすることを表し、０はサポートしないことを表す。
【００８９】
【表３】
2021533694.tif 000005
【００９０】
一実施形態として、前記第二指示情報には、帯域の組み合わせに対して、電磁放射の比吸収率に要求されるリミット値が満たされる下で、プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいてスケジューリングされ得る又は伝送され得る上り割合の組み合わせ、及び上り割合の粒度が含まれる。例えば表３を参照して、表３は、端末のＬＴＥでのＴＤＤの上下り設定が０〜６の場合、ＮＲでのスケジューリングされ得る又は伝送され得る上り割合の組み合わせのサポート状況、及び表３内のＮＲネットワーク側に採用されている動的な上下りタイムスロット比率の粒度が１０％であることを示している。
【００９１】
一実施形態として、前記第二指示情報には、帯域の組み合わせに対して、電磁放射の比吸収率に要求されるリミット値が満たされる下で、プライマリキャリア又は第一ＲＡＴの下でのＴＤＤの上下り設定が０〜６の１つである場合、又はＦＤＤの場合、又はＦＤＤの場合、第一評価期間内で、セカンダリキャリア又は第二ＲＡＴキャリアにおいて、スケジューリングされ得る又は伝送され得る上り割合の組み合わせの識別子が含まれる。一例として、端末において、表３に示すような少なくとも１つのテーブルを予め定義し、それぞれのテーブルは、端末のＬＴＥでのＴＤＤの上下り設定が０〜６の場合、ＮＲでのスケジューリングされ得る又は伝送され得る異なる上り割合の組み合わせを示すようにしてもよい。そうすると、端末をスケジューリングできる又は伝送の利用可能な上り割合の組み合わせの識別子は、具体的に、予め定義されたテーブルの識別子であってもよく、即ち、端末は、テーブルの具体的な内容を報告せずに、テーブルの識別子だけを報告することになるため、データのオーバーヘッドを大幅に節約できる。
【００９２】
一実施形態として、前記第二指示情報には、帯域の組み合わせに対して、電磁放射の比吸収率に要求されるリミット値が満たされる下で、プライマリキャリア又は第一ＲＡＴの下でのＴＤＤの上下り設定が０〜６の１つである場合、又はＦＤＤの場合、又はＦＤＤの場合、第一評価期間内で、セカンダリキャリア又は第二ＲＡＴキャリアにおいて、スケジューリングされ得る又は伝送され得る最大上り割合が含まれる。本実施形態は、ＥＮ−ＤＣシーンに適用され、例えば表４を参照して、前記プライマリキャリア又は第一ＲＡＴは、ＬＴＥネットワークに対応し、ＬＴＥネットワーク側は、固定のタイムスロット比率を用い、即ち上下り設定が０〜６であり、セカンダリキャリア又は第二ＲＡＴは、ＮＲネットワークに対応し、ＬＴＥネットワーク側の上下り設定０〜６に対応するＮＲ側の最大上り割合は、それぞれ３０％、５０％、５０％、５０％、５０％、５０％、３０％であってもよい。
【００９３】
【表４】
2021533694.tif 000006
【００９４】
一実施形態として、前記第二指示情報には、帯域の組み合わせに対して、電磁放射の比吸収率に要求されるリミット値が満たされる下で、プライマリキャリア又は第一ＲＡＴの下でのＴＤＤの上下り設定が０及び６でない場合、又はＦＤＤの場合、又はＦＤＤの場合、第一評価期間内で、セカンダリキャリア又は第二ＲＡＴキャリアにおいて、スケジューリングされ得る又は伝送され得る最大上り割合が含まれる。例えば、プライマリキャリア又は第一ＲＡＴの下でのＴＤＤの上下り設定が０及び６でない（即ち設定１〜５）場合、端末は、セカンダリキャリア又は第二ＲＡＴキャリアでのスケジューリングされ得る又は伝送の利用可能な最大上り割合が５０％である旨を報告する。
【００９５】
一実施形態として、前記第二指示情報には、帯域の組み合わせに対して、電磁放射の比吸収率に要求されるリミット値が満たされる下で、前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合が含まれる。本実施形態は、ＥＮ−ＤＣシーンに適用され、ＬＴＥ側は、固定タイムスロット比率を用い、ＮＲは、動的な上下りタイムスロット比率を用い、一例として、前記プライマリキャリア又は第一ＲＡＴは、ＬＴＥネットワークに対応し、ＬＴＥネットワーク側は、固定のタイムスロット比率を用い、例えば上下り設定が０〜６のうち、何れか１つの上下り設定とされ、セカンダリキャリア又は第二ＲＡＴは、ＮＲネットワークに対応し、ＮＲネットワーク側は、動的な上下りタイムスロット比率を用い、ＴＤＤ  ｃｏｎｆｉｇ  ２に対して、ＮＲの利用可能な最大上り割合は５０％となる。
【００９６】
一実施形態として、前記第二指示情報には、帯域の組み合わせに対して、電磁放射の比吸収率に要求されるリミット値が満たされる下で、第一評価期間内で、ＬＴＥ  ＴＤＤの上下り設定１（例えば５０％  ＵＬ）、又はＦＤＤについて、端末をスケジューリングできるＮＲの最大上り割合が含まれる。本実施形態は、ＥＮ−ＤＣシーンに適用され、一例としては、ＴＤＤ  ｃｏｎｆｉｇ  １に対して、ＮＲの利用可能な最大上り割合は５０％であり、別の一例としては、ＦＤＤに対して、ＮＲの利用可能な最大上り割合は２５％である。
【００９７】
一実施例において、前記方法は、前記端末が前記ネットワーク機器からの第三指示情報を受信することであって、前記第三指示情報には、上下り設定情報が含まれる、受信することを更に含む。
【００９８】
ここで、前記第二指示情報に含まれる、前記第一評価期間内でスケジューリングされ得る又は伝送され得るＮＲの最大上り割合は、前記上下り設定情報に基づいて特定される。
【００９９】
本実施形態において、前記上下り設定情報には、前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下り設定情報、又は、
前記端末がキャリア集約、デュアル接続、又はＳＵＬをサポートする場合、少なくとも２つのキャリア又はセルの上下り設定情報が含まれる。
【０１００】
一例として、ＥＮ−ＤＣシーンでは、前記上下りタイムスロット設定情報は、ＬＴＥセルの上下りタイムスロット設定及びＮＲセルの上下りタイムスロット設定であり、別の一例として、ＬＴＥ又はＮＲキャリア集約、デュアル接続、ＳＵＬシーンでは、前記上下りタイムスロット設定情報は、複数のキャリア／セルの上下りタイムスロット設定である。
【０１０１】
本実施形態において、前記端末がネットワーク機器からの第三指示情報を受信することは、前記端末が前記第三指示情報を付帯するブロードキャスト情報を受信すること、又は、前記端末が前記第三指示情報を付帯する専用シグナリングを受信することを含む。一例として、ブロードキャスト情報を介して送信し、当該ブロードキャスト情報は、例えばＲＡＴ情報ブロック類型１ＳＩＢ１（Ｓｙｓｔｅｍ  Ｉｎｆｏｒｍａｔｉｏｎ  Ｂｌｏｃｋ  Ｔｙｐｅ  １）の情報であり、セルの選択又は再選択に適しており、ネットワークアクセスの前に使用される。
【０１０２】
一実施形態として、前記端末が前記第三指示情報を付帯する専用シグナリングを受信することは、前記端末が前記第三指示情報を付帯する第一専用シグナリングを受信することであって、前記第三指示情報は、新しく追加されたセカンダリキャリア又はセカンダリセルの上下り設定情報を前記端末に通知するためのものである、受信すること、又は、
前記端末が前記第三指示情報を付帯する第二専用シグナリングを受信することであって、前記第三指示情報は、ハンドオーバ後のターゲットセルの上下り設定情報を前記端末に通知するためのものである、受信することを含む。
【０１０３】
第一専用シグナリング、例えばＲａｄｉｏＲｅｓｏｕｒｃｅＣｏｎｆｉｇＣｏｍｍｏｎは、セカンダリキャリア又はセカンダリセル（キャリア集約又はデュアル接続）を追加したとき、新しく追加されたセカンダリキャリア又はセカンダリセルにおける関連設定情報を端末に知らせるためのものである。第二専用シグナリング、例えばＭｏｂｉｌｉｔｙＣｏｎｔｒｏｌＩｎｆｏは、ターゲットセルの関連設定情報を端末に知らせるためのものである。
【０１０４】
一実施例において、前記方法は、前記端末が前記ネットワーク機器からのリソーススケジューリング情報を受信し、前記リソーススケジューリング情報の指示に従って上りデータ伝送を行うことを更に含む。
【０１０５】
一実施例において、前記方法は、第二評価期間内で、もし前記端末の上り送信又はスケジューリングされた上りの量が前記端末の上り送信能力を超える場合、前記端末が、電力をバックオフさせるか、或いは電力クラスを低下させるように制御することを更に含む。前記端末が、電力バックオフ後又は電力クラス低下後の電力に基づいて、サービングセルにおいて自身にとって設定可能な最大出力電力を計算する。
【０１０６】
例えば、設定され得る最大出力電力ＰＣＭＡＸ，ｆ，ｃは、
ＰＣＭＡＸ＿Ｌ，ｆ，ｃ≦ＰＣＭＡＸ，ｆ，ｃ≦ＰＣＭＡＸ＿Ｈ，ｆ，ｃのような範囲内であり、
ここで、ＰＣＭＡＸ＿Ｌ，ｆ，ｃは、当該範囲の最小値を表し、ＰＣＭＡＸ＿Ｌ，ｆ，ｃの計算方法としては、
ＰＣＭＡＸ＿Ｌ，ｆ，ｃ＝ＭＩＮ｛ＰＥＭＡＸ，ｃ−ΔＴＣ，ｃ，（ＰＰｏｗｅｒＣｌａｓｓ−ΔＰＰｏｗｅｒＣｌａｓｓ）−余分の電力バックオフ及び挿入損失｝であり、
ここで、（ＰＥＭＡＸ，ｃ−ΔＴＣ，ｃ）は、ネットワークに許容される最大出力電力を表し、（（ＰＰｏｗｅｒＣｌａｓｓ−ΔＰＰｏｗｅｒＣｌａｓｓ）−余分の電力バックオフ及び挿入損失）は、端末が実際に達成できる最大出力電力を表し、（ＰＰｏｗｅｒＣｌａｓｓ−ΔＰＰｏｗｅｒＣｌａｓｓ）は、電力バックオフ後又は電力クラス低下後の端末電力である。
【０１０７】
ＰＣＭＡＸ＿Ｈ，ｆ，ｃは、当該範囲の最大値を表し、ＰＣＭＡＸ＿Ｈ，ｆ，ｃの計算方法としては、
ＰＣＭＡＸ＿Ｈ，ｆ，ｃ＝ＭＩＮ｛ＰＥＭＡＸ，ｃ，ＰＰｏｗｅｒＣｌａｓｓ−ΔＰＰｏｗｅｒＣｌａｓｓ｝であり、
ここで、ＰＥＭＡＸ，ｃは、ネットワークに許容される最大出力電力を表し、（ＰＰｏｗｅｒＣｌａｓｓ−ΔＰＰｏｗｅｒＣｌａｓｓ）は、電力バックオフ後又は電力クラス低下後の端末電力である。
【０１０８】
一実施例において、前記方法は、前記端末が、更新された第五指示情報を前記ネットワーク機器に送信することであって、前記更新された第五指示情報には、更新された最大発信電力又は電力クラスが含まれる、送信することを更に含み、前記更新された第五指示情報は、ネットワーク機器によるスケジューリング決定を支援するためのものである。
【０１０９】
本開示の実施例に係る技術案を用いれば、帯域の組み合わせの下での電力クラス類型及び／又は帯域の組み合わせに対応する能力を端末によって報告することで、ネットワーク機器は、端末の帯域の組み合わせの下での電力クラス類型及び／又は帯域の組み合わせに対応する能力を知り、電磁放射の比吸収率に要求されるリミット値が満たされる下で、知った情報に基づいて端末の上り伝送を合理的にスケジューリングすることが容易になり、クロス帯域、クロスＲＡＴの集約シーンに特に適している。
【０１１０】
本開示の実施例は、別のリソース割当方法を提供しており、図２は、本開示の実施例によるリソース割当方法のフロー模式図その二であり、図２に示すように、前記方法は、以下のステップを含む。
【０１１１】
ステップ２０１：端末が第一指示情報及び／又は第二指示情報をネットワーク機器に送信し、前記第一指示情報には、前記端末の帯域の組み合わせの下での電力クラス類型が含まれ、前記第二指示情報には、前記帯域の組み合わせに対応する能力が含まれる。
【０１１２】
ステップ２０２：前記端末が前記ネットワーク機器からの第四指示情報を受信し、前記第四指示情報には、電力ヘッドルームレポートＰＨＲ（ｐｏｗｅｒ  ｈｅａｄｒｏｏｍ  ｒｅｐｏｒｔ）の設定情報が含まれ、前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる。
【０１１３】
ステップ２０３：前記端末が前記ＰＨＲの設定情報に基づいて第五指示情報をネットワークに送信し、前記第五指示情報には、端末の帯域の組み合わせの下でのＰＨＲが含まれる。
【０１１４】
本実施例のステップ２０１及び関連説明については、前述した実施例のステップ１０１の関連説明を参照することができ、ここで繰り返して説明しない。
【０１１５】
本実施形態において、前記端末がマルチＲＡＴデュアル接続をサポートする場合のＰＨＲ報告設定情報には、以下の設定情報、即ち、ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる。
【０１１６】
本実施形態において、前記第五指示情報に含まれるＰＨＲには、
ＬＴＥネットワークのＰＨＲをＬＴＥネットワークに報告する旨、
ＮＲネットワークのＰＨＲをＮＲネットワークに報告する旨、
ＮＲネットワークのＰＨＲをＬＴＥネットワークに報告する旨、及び
ＬＴＥネットワークのＰＨＲをＮＲネットワークに報告する旨のうち、少なくとも１つが含まれる。
【０１１７】
一実施例において、前記方法は、前記端末が前記ネットワーク機器からのリソーススケジューリング情報を受信し、前記リソーススケジューリング情報の指示に従って上りデータ伝送を行うことを更に含む。
【０１１８】
一実施例において、前記方法は、第二評価期間内で、もし前記端末の上り送信又はスケジューリングされた上りの量が前記端末の上り送信能力を超える場合、前記端末が、電力をバックオフさせるか、或いは電力クラスを低下させるように制御することを更に含む。さらに、前記端末は、電力バックオフ後又は電力クラス低下後の電力に基づいて、サービングセルにおいて自身にとって設定可能な最大出力電力を計算する。
【０１１９】
一実施例において、前記方法は、前記端末が、更新された第五指示情報を前記ネットワーク機器に送信することであって、前記更新された第五指示情報には、更新された最大発信電力又は電力クラスが含まれる、送信することを更に含み、前記更新された第五指示情報は、ネットワーク機器によるスケジューリング決定を支援するためのものである。
【０１２０】
本開示の実施例に係る技術案を用いれば、まず、帯域の組み合わせの下での電力クラス類型及び／又は帯域の組み合わせに対応する能力を端末によって報告することで、ネットワーク機器は、端末の帯域の組み合わせの下での電力クラス類型及び／又は帯域の組み合わせに対応する能力を知り、電磁放射の比吸収率に要求されるリミット値が満たされる下で、知った情報に基づいて端末の上り伝送を合理的にスケジューリングすることが容易になり、クロス帯域、クロスＲＡＴの集約シーンに特に適している。そして、端末は、電力をバックオフさせるか、或いは電力クラスを低下させるという方式で、電磁放射の比吸収率の要求を満たすことができ、より多くのサービスに適している。
【０１２１】
本開示の実施例は、更に別のリソース割当方法を提供しており、図３は、本開示の実施例のリソース割当方法のフロー模式図その三であり、図３に示すように、前記方法は、以下のステップを含む。
【０１２２】
ステップ３０１：ネットワーク機器が端末からの第一指示情報及び／又は第二指示情報を受信し、前記第一指示情報には、前記端末の帯域の組み合わせの下での電力クラス類型が含まれ、前記第二指示情報には、前記帯域の組み合わせに対応する能力が含まれる。
【０１２３】
ステップ３０２：前記ネットワーク機器が、前記第一指示情報及び／又は第二指示情報に基づいて、前記端末の上り伝送をスケジューリングする。
【０１２４】
本実施例における前記第一指示情報及び第二指示情報の関連説明については、前述した実施例における第一指示情報及び第二指示情報の関連説明を参照することができ、ここで繰り返して説明しない。
【０１２５】
本実施例において、ネットワーク機器は、端末から報告された第一指示情報及び／又は第二指示情報に従って、端末の上り送信をスケジューリングすることが可能である。
【０１２６】
本開示の実施例は、更なる別のリソース割当方法を提供しており、図４は、本開示の実施例によるリソース割当方法のフロー模式図その四であり、図４に示すように、前記方法は、以下のステップを含む。
【０１２７】
ステップ４０１：ネットワーク機器が端末からの第一指示情報及び／又は第二指示情報を受信し、前記第一指示情報には、前記端末の帯域の組み合わせの下での電力クラス類型が含まれ、前記第二指示情報には、前記帯域の組み合わせに対応する能力が含まれる。
【０１２８】
ステップ４０２：前記ネットワーク機器が第四指示情報を前記端末に送信し、前記第四指示情報には、ＰＨＲの設定情報が含まれ、前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる。
【０１２９】
ステップ４０３：前記ネットワーク機器が前記端末からの第五指示情報を受信し、前記第五指示情報には、端末の帯域の組み合わせの下でのＰＨＲが含まれる。
【０１３０】
ステップ４０４：前記ネットワーク機器が、前記第一指示情報、前記第二指示情報及び前記第三指示情報のうち、少なくとも１つの情報に基づいて、前記端末の上り伝送をスケジューリングする。
【０１３１】
本実施例における前記第一指示情報及び第二指示情報の関連説明については、前述した実施例における第一指示情報及び第二指示情報の関連説明を参照することができ、ここで繰り返して説明しない。
【０１３２】
一実施形態として、ＰＨＲの設定情報には、ＣＡ又はＤＣシーンでのＰＨＲ報告が含まれ、例えば、ネットワークは、ＰＳＣｅｌｌ及びＳＣｅｌｌのＰＨＲを報告するように指示する。
【０１３３】
別の実施形態として、前記端末がマルチＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる。例えば、ＬＴＥネットワークから指示された、ＮＲのＰＨＲを報告するかどうかの情報、又は、ＮＲネットワークから指示された、ＬＴＥのＰＨＲを報告するかどうかの情報が含まれる。
【０１３４】
本実施形態において、前記第五指示情報に含まれるＰＨＲには、
ＬＴＥネットワークのＰＨＲをＬＴＥネットワークに報告する旨、
ＮＲネットワークのＰＨＲをＮＲネットワークに報告する旨、
ＮＲネットワークのＰＨＲをＬＴＥネットワークに報告する旨、及び
ＬＴＥネットワークのＰＨＲをＮＲネットワークに報告する旨のうち、少なくとも１つが含まれる。
【０１３５】
本実施形態において、ネットワーク機器は、前記第一指示情報、前記第二指示情報及び前記第三指示情報のうち、少なくとも１つの情報に基づいて、前記端末の上り伝送をスケジューリングし、一例として、第二セル（例えばＮＲ）は、端末から報告されたＰＨＲに基づいてスケジューリング決定を行い、端末の上り送信をスケジューリングしてもよく、例えば端末の第一セル（例えばＬＴＥ）での発信電力が低下したとき、第二セル（例えばＮＲ）は、より多くの上りリソースをスケジューリングしたり、発信電力を向上させることが可能である。
【０１３６】
本開示の実施例に係る技術案を用いれば、まず、帯域の組み合わせの下での電力クラス類型及び／又は帯域の組み合わせに対応する能力を端末によって報告することで、ネットワーク機器は、端末の帯域の組み合わせの下での電力クラス類型及び／又は帯域の組み合わせに対応する能力を知り、電磁放射の比吸収率に要求されるリミット値が満たされる下で、知った情報に基づいて端末の上り伝送を合理的にスケジューリングすることが容易になり、クロス帯域、クロスＲＡＴの集約シーンに特に適している。そして、端末は、電力をバックオフさせるか、或いは電力クラスを低下させるという方式で、電磁放射の比吸収率の要求を満たすことができ、より多くのサービスに適している。
【０１３７】
本開示の実施例は、端末を更に提供している。図５は、本開示の実施例の端末の構造模式図であり、図５に示すように、前記端末は、第一指示情報及び／又は第二指示情報をネットワーク機器に送信するための第一送信ユニット５１を含み、前記第一指示情報には、前記端末の帯域の組み合わせの下での電力クラス類型が含まれ、前記第二指示情報には、前記帯域の組み合わせに対応する能力が含まれる。
【０１３８】
本実施例において、前記端末の帯域の組み合わせには、キャリア集約と、デュアル接続と、マルチＲＡＴデュアル接続と、ＳＵＬとのうち、少なくとも１つをサポートすることが含まれる。
【０１３９】
そのうち、前記マルチＲＡＴデュアル接続は、ＬＴＥ及びＮＲのデュアル接続である。
【０１４０】
本実施例において、前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる。
【０１４１】
そのうち、前記上り割合の組み合わせは、電磁放射の比吸収率に要求されるリミット値が満たされる下で、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される。
【０１４２】
一実施例において、図６に示すように、前記端末は、前記ネットワーク機器からの第三指示情報を受信するための第一受信ユニット５２を更に含み、前記第三指示情報には、上下り設定情報が含まれる。
【０１４３】
本実施例において、前記第一評価期間内でスケジューリングされ得る又は伝送され得るＮＲの最大上り割合は、前記上下り設定情報に基づいて特定される。
【０１４４】
本実施例において、前記上下り設定情報には、前記上下り設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下り設定情報、又は、
前記端末がキャリア集約、デュアル接続、又はＳＵＬをサポートする場合、少なくとも２つのキャリア又はセルの上下り設定情報が含まれる。
【０１４５】
一実施形態として、前記第一受信ユニット５２は、前記第三指示情報を付帯するブロードキャスト情報を受信するか、又は、前記第三指示情報を付帯する専用シグナリングを受信するために用いられる。
【０１４６】
ここで、前記第一受信ユニット５２は、前記第三指示情報を付帯する第一専用シグナリングを受信することであって、前記第三指示情報は、新しく追加されたセカンダリキャリア又はセカンダリセルの上下り設定情報を前記端末に通知するためのものである、受信するために用いられるか、又は
前記第三指示情報を付帯する第二専用シグナリングを受信することであって、前記第三指示情報は、ハンドオーバ後のターゲットセルの上下り設定情報を前記端末に通知するためのものである、受信するために用いられる。
【０１４７】
一実施例において、図７に示すように、前記端末は、第二評価期間内で、もし前記端末の上り送信又はスケジューリングされた上りの量が前記端末の上り送信能力を超える場合、前記端末が、電力をバックオフさせるか、或いは電力クラスを低下させるように制御するための制御ユニット５３を更に含む。
【０１４８】
一実施例において、前記制御ユニット５３は、電力バックオフ後又は電力クラス低下後の電力に基づいて、サービングセルにおいて自身にとって設定可能な最大出力電力を計算するために更に用いられる。
【０１４９】
本実施例において、前記第一送信ユニット５１は、更新された第五指示情報を前記ネットワーク機器に送信することであって、前記更新された第五指示情報には、更新された最大発信電力又は電力クラスが含まれる、送信するためにさらに用いられる。
【０１５０】
本開示の実施例は、図６に示すように、第一送信ユニット５１及び第一受信ユニット５２を含む端末を更に提供しており、
前記第一送信ユニット５１は、第一指示情報及び／又は第二指示情報をネットワーク機器に送信することであって、前記第一指示情報には、前記端末の帯域の組み合わせの下での電力クラス類型が含まれ、前記第二指示情報には、前記帯域の組み合わせに対応する能力が含まれる、送信するために用いられ、
前記第一受信ユニット５２は、前記ネットワーク機器からの第四指示情報を受信することであって、前記第四指示情報には、ＰＨＲの設定情報が含まれ、前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる、受信するために用いられ、
前記第一送信ユニット５１は、前記ＰＨＲの設定情報に基づいて第五指示情報をネットワークに送信することであって、前記第五指示情報には、端末の帯域の組み合わせの下でのＰＨＲが含まれる、送信するために更に用いられる。
【０１５１】
本実施例において、前記端末がマルチＲＡＴデュアル接続をサポートする場合のＰＨＲ報告設定情報には、以下の設定情報、即ち、ＬＴＥネットワークのＰＨＲをＬＴＥネットワークに報告するかどうかの情報、ＮＲネットワークのＰＨＲをＮＲネットワークに報告するかどうかの情報、ＮＲネットワークのＰＨＲをＬＴＥネットワークに報告するかどうかの情報、ＬＴＥネットワークのＰＨＲをＮＲネットワークに報告するかどうかの情報のうち、少なくとも１つが含まれる。
【０１５２】
本実施例において、前記第五指示情報に含まれるＰＨＲには、ＬＴＥネットワークのＰＨＲをＬＴＥネットワークに報告する旨、ＮＲネットワークのＰＨＲをＮＲネットワークに報告する旨、ＮＲネットワークのＰＨＲをＬＴＥネットワークに報告する旨、ＬＴＥネットワークのＰＨＲをＮＲネットワークに報告する旨のうち、少なくとも１つが含まれる。
【０１５３】
一実施例において、図７に示すように、前記端末は、第二評価期間内で、もし前記端末の上り送信又はスケジューリングされた上りの量が前記端末の上り送信能力を超える場合、前記端末が、電力をバックオフさせるか、或いは電力クラスを低下させるように制御するための制御ユニット５３を更に含む。
【０１５４】
一実施例において、前記制御ユニット５３は、電力バックオフ後又は電力クラス低下後の電力に基づいて、サービングセルにおいて自身にとって設定可能な最大出力電力を計算するために更に用いられる。
【０１５５】
本実施例において、前記第一送信ユニット５１は、更新された第五指示情報を前記ネットワーク機器に送信することであって、前記更新された第五指示情報には、更新された最大発信電力又は電力クラスが含まれる、送信するために更に用いられる。
【０１５６】
本開示の実施例において、前記端末内の制御ユニット５３は、実際の応用では、前記端末内の中央処理装置ＣＰＵ（Ｃｅｎｔｒａｌ  Ｐｒｏｃｅｓｓｉｎｇ  Ｕｎｉｔ）、デジタル信号プロセッサＤＳＰ（Ｄｉｇｉｔａｌ  Ｓｉｇｎａｌ  Ｐｒｏｃｅｓｓｏｒ）、マイクロコントローラユニットＭＣＵ（Ｍｉｃｒｏｃｏｎｔｒｏｌｌｅｒ  Ｕｎｉｔ）又はプログラマブルゲートアレイＦＰＧＡ（Ｆｉｅｌｄ−Ｐｒｏｇｒａｍｍａｂｌｅ  Ｇａｔｅ  Ａｒｒａｙ）によって実現可能であり、前記端末内の第一送信ユニット５１及び第一受信ユニット５２は、実際の応用では、通信モジュール（基本的な通信キット、オペレーティングＲＡＴ、通信モジュール、標準化されたインターフェイス及びプロトコル等を含む）及び送受信アンテナによって実現可能である。
【０１５７】
本開示の実施例は、メモリと、プロセッサと、メモリに記憶されてプロセッサ上で動作可能なコンピュータプログラムとを含み、前記プログラムが前記プロセッサによって実行されると、本開示の実施例に記載の、端末に適用されるリソース割当方法のステップが実現される、端末を更に提供している。
【０１５８】
説明すべきなのは、上記実施例によるリソース割当方法について、リソースを割り当てるとき、上記各プログラムモジュールの分割を例にして説明しただけであり、実際の応用では、必要に応じて上記処理を異なるプログラムモジュールに配分して完成させることが可能であり、即ち、端末の内部構造を異なるプログラムモジュールに分割して、上記で説明されたすべて又は一部の処理を完成させてもよい。また、上記実施例による端末は、リソース割当方法の実施例と同一構想に属し、その具体的な実現プロセスの詳細については、方法実施例を参照すればよく、ここで繰り返して説明しない。
【０１５９】
本開示の実施例は、ネットワーク機器を更に提供しており、図８は、本開示の実施例によるネットワーク機器の構造模式図であり、図８に示すように、前記ネットワーク機器は、第二受信ユニット６１及びスケジューリングユニット６２を含み、
前記第二受信ユニット６１は、端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信するために用いられ、
前記スケジューリングユニット６２は、前記第一指示情報及び／又は第二指示情報に基づいて、前記端末の上り伝送をスケジューリングするために用いられる。
【０１６０】
本実施例において、前記端末の帯域の組み合わせには、キャリア集約と、デュアル接続と、マルチＲＡＴデュアル接続と、ＳＵＬとのうち、少なくとも１つをサポートすることが含まれる。
【０１６１】
そのうち、前記マルチＲＡＴデュアル接続は、ＬＴＥ及びＮＲのデュアル接続である。
【０１６２】
本実施例において、前記第二指示情報には、前記帯域の組み合わせに対して、電磁放射の比吸収率に要求されるリミット値が満たされる下での以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる。
【０１６３】
そのうち、前記上り割合の組み合わせは、電磁放射の比吸収率に要求されるリミット値が満たされる下で、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される。
【０１６４】
一実施例において、図９に示すように、前記ネットワーク機器は、第三指示情報を前記端末に送信することであって、前記第三指示情報には、上下りタイムスロット設定情報が含まれる、送信するための第二送信ユニット６３を更に含む。
【０１６５】
ここで、前記第二送信ユニット６３は、ブロードキャスト情報を介して第三指示情報を前記端末に送信するか、或いは、専用シグナリングを介して第三指示情報を前記端末に送信するために用いられる。
【０１６６】
一例として、前記第二送信ユニット６３は、第一専用シグナリングを介して第三指示情報を前記端末に送信することであって、前記第三指示情報は、新しく追加されたセカンダリキャリア又はセカンダリセルの上下り設定情報を前記端末に通知するためのものである、送信するために用いられるか、又は、
第二専用シグナリングを介して第三指示情報を前記端末に送信することであって、前記第三指示情報は、ハンドオーバ後のターゲットセルの上下り設定情報を前記端末に通知するためのものである、送信するために用いられる。
【０１６７】
そのうち、前記上下りタイムスロット設定情報には、前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下りタイムスロット設定情報、又は、前記端末がキャリア集約、デュアル接続、又はＳＵＬをサポートする場合、少なくとも２つのキャリア又はセルの上下り設定情報が含まれる。
【０１６８】
本開示の実施例は、図９に示すように、第二受信ユニット６１、第二送信ユニット６３及びスケジューリングユニット６２を含むネットワーク機器を更に提供しており、
前記第二受信ユニット６１は、端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信するために用いられ、
前記第二送信ユニット６３は、第四指示情報を前記端末に送信することであって、前記第四指示情報には、ＰＨＲの設定情報が含まれ、前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる、送信するために用いられ、
前記第二受信ユニット６１は、前記端末からの第五指示情報を受信することであって、前記第五指示情報には、端末の帯域の組み合わせの下でのＰＨＲが含まれる、受信するために更に用いられ、
前記スケジューリングユニット６２は、前記第一指示情報、前記第二指示情報及び前記第三指示情報のうち、少なくとも１つの情報に基づいて、前記端末の上り伝送をスケジューリングするために用いられる。
【０１６９】
ここで、前記端末が異ＲＡＴデュアル接続をサポートする場合のＰＨＲ報告設定情報には、以下の設定情報、即ち、ＬＴＥネットワークのＰＨＲをＬＴＥネットワークに報告するかどうかの情報、ＮＲネットワークのＰＨＲをＮＲネットワークに報告するかどうかの情報、ＮＲネットワークのＰＨＲをＬＴＥネットワークに報告するかどうかの情報、及び、ＬＴＥネットワークのＰＨＲをＮＲネットワークに報告するかどうかの情報のうち、少なくとも１つが含まれる。
【０１７０】
本実施例において、前記スケジューリングユニット６２は、前記第一指示情報、第二指示情報及び第三指示情報のうち、少なくとも１つの指示情報に基づいて、前記端末に上りリソースを割り当て、前記上りリソースのリソーススケジューリング情報を前記端末に送信するために用いられる。
【０１７１】
一実施例において、前記第二送信ユニット６３は、第三指示情報を前記端末に送信するために更に用いられ、前記第三指示情報には、上下りタイムスロット設定情報が含まれる。
【０１７２】
ここで、前記第二送信ユニット６３は、ブロードキャスト情報を介して第三指示情報を前記端末に送信するために用いられるか、又は、専用シグナリングを介して第三指示情報を前記端末に送信するために用いられる。
【０１７３】
一例として、前記第二送信ユニット６３は、第一専用シグナリングを介して第三指示情報を前記端末に送信することであって、前記第三指示情報は、新しく追加されたセカンダリキャリア又はセカンダリセルの上下り設定情報を前記端末に通知するためのものである、送信するために用いられるか、又は、
第二専用シグナリングを介して第三指示情報を前記端末に送信することであって、前記第三指示情報は、ハンドオーバ後のターゲットセルの上下り設定情報を前記端末に通知するためのものである、送信するために用いられる。
【０１７４】
そのうち、前記上下りタイムスロット設定情報には、前記端末がマルチＲＡＴデュアル接続をサポートする場合、少なくとも１つのプライマリキャリア又は第一ＲＡＴセルの上下り設定情報及び少なくとも１つのセカンダリキャリア又は第二ＲＡＴセルの上下りタイムスロット設定情報、又は、前記端末がキャリア集約、デュアル接続、又はＳＵＬをサポートする場合、少なくとも２つのキャリア又はセルの上下り設定情報が含まれる。
【０１７５】
本開示の実施例は、メモリと、プロセッサと、メモリに記憶されてプロセッサ上で動作可能なコンピュータプログラムとを含み、前記プログラムが前記プロセッサによって実行されると、本開示の実施例に記載の、ネットワーク機器に適用されるリソース割当方法のステップが実現される、ネットワーク機器を更に提供している。
【０１７６】
本開示の実施例において、前記ネットワーク機器内のスケジューリングユニット６２は、実際の応用では、前記ネットワーク機器内のＣＰＵ、ＤＳＰ、ＭＣＵ又はＦＰＧＡによって実現可能であり、前記ネットワーク機器内の第二受信ユニット６１及び第二送信ユニット６３は、実際の応用では、通信モジュール（基本的な通信キット、オペレーティングＲＡＴ、通信モジュール、規格化されたインターフェイス及びプロトコル等を含む）及び送受信アンテナによって実現可能である。
【０１７７】
説明すべきなのは、上記実施例によるリソース割当方法について、リソースを割り当てるとき、上記各プログラムモジュールの分割を例にして説明しただけであり、実際の応用では、必要に応じて上記処理を異なるプログラムモジュールに配分して完成させることが可能であり、即ち、ネットワーク機器の内部構造を異なるプログラムモジュールに分割して、上記で説明されたすべて又は一部の処理を完成させてもよい。また、上記実施例によるネットワーク機器は、リソース割当方法の実施例と同一構想に属し、その具体的な実現プロセスの詳細については、方法実施例を参照すればよく、ここで繰り返して説明しない。
【０１７８】
本開示の実施例において、メモリは、任意の類型の揮発性又は不揮発性ストレージデバイス、或いはそれらの組み合わせによって実現可能である。そのうち、不揮発性メモリは、読取専用メモリＲＯＭ（Ｒｅａｄ  Ｏｎｌｙ  Ｍｅｍｏｒｙ）、プログラマブル読取専用メモリＰＲＯＭ（Ｐｒｏｇｒａｍｍａｂｌｅ  Ｒｅａｄ−Ｏｎｌｙ  Ｍｅｍｏｒｙ）、消去可能なプログラマブル読取専用メモリＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）、電気的に消去可能なプログラマブル読取専用メモリＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリＦＲＡＭ（Ｆｅｒｒｏｍａｇｎｅｔｉｃ  Ｒａｎｄｏｍ  Ａｃｃｅｓｓ  Ｍｅｍｏｒｙ）、フラッシュメモリ（Ｆｌａｓｈ  Ｍｅｍｏｒｙ）、磁気表面メモリ、光ディスク、又は読取専用光ディスクＣＤ−ＲＯＭ（Ｃｏｍｐａｃｔ  Ｄｉｓｃ  Ｒｅａｄ−Ｏｎｌｙ  Ｍｅｍｏｒｙ）であってもよく、磁気表面メモリは、磁気ディスクメモリ又は磁気テープメモリであってもよい。揮発性メモリは、ランダムアクセスメモリＲＡＭ（Ｒａｎｄｏｍ  Ａｃｃｅｓｓ  Ｍｅｍｏｒｙ）であってもよく、外部高速キャッシュとして用いられる。例示的に説明すると、例えば静的ランダムアクセスメモリＳＲＡＭ（Ｓｔａｔｉｃ  Ｒａｎｄｏｍ  Ａｃｃｅｓｓ  Ｍｅｍｏｒｙ）、同期静的ランダムアクセスメモリＳＳＲＡＭ（Ｓｙｎｃｈｒｏｎｏｕｓ  Ｓｔａｔｉｃ  Ｒａｎｄｏｍ  Ａｃｃｅｓｓ  Ｍｅｍｏｒｙ）、動的ランダムアクセスメモリＤＲＡＭ（Ｄｙｎａｍｉｃ  Ｒａｎｄｏｍ  Ａｃｃｅｓｓ  Ｍｅｍｏｒｙ）、同期動的ランダムアクセスメモリＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレート同期動的ランダムアクセスメモリＤＤＲＳＤＲＡＭ（Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、拡張同期動的ランダムアクセスメモリＥＳＤＲＡＭ（Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、同期接続動的ランダムアクセスメモリＳＬＤＲＡＭ（ＳｙｎｃＬｉｎｋ  Ｄｙｎａｍｉｃ  Ｒａｎｄｏｍ  Ａｃｃｅｓｓ  Ｍｅｍｏｒｙ）、ダイレクトメモリバスランダムアクセスメモリＤＲＲＡＭ（Ｄｉｒｅｃｔ  Ｒａｍｂｕｓ  Ｒａｎｄｏｍ  Ａｃｃｅｓｓ  Ｍｅｍｏｒｙ）のような様々なＲＡＭが利用可能であるが、これらに限定されない。本開示の実施例に記載のメモリは、これら及び任意の他の適合タイプのメモリを含むが、限定されるものではない。
【０１７９】
理解されたいのは、本開示の上記実施例に開示の方法は、プロセッサに適用されるか、あるいは、プロセッサによって実現され得る。プロセッサは、信号の処理能力を有する集積回路チップであってもよい。実現プロセスでは、上記方法の各ステップは、プロセッサ内のハードウェアである集積ロジック回路又はソフトウェア形式のコマンドによって完成可能である。上記のプロセッサは、汎用プロセッサ、ＤＳＰ又は他のプログラマブルロジックデバイス、ディスクリートゲート又はトランジスタロジックデバイス、ディスクリートハードウェアコンポーネント等であってもよい。プロセッサは、本開示の実施例に開示の各方法、ステップ及びロジックブロック図を実現又は実行可能である。汎用プロセッサは、マイクロプロセッサや、いかなる常用的なプロセッサ等であってもよい。本開示の実施例に関連して開示された方法のステップは、直接具現化として、ハードウェアデコーダプロセッサによる実行で完成されてもよいし、或いは、デコーダプロセッサ内のハードウェア及びソフトウェアモジュールの組み合わせによる実行で完成されてもよい。ソフトウェアモジュールは、記憶媒体内に位置することが可能であり、当該記憶媒体は、メモリにあり、プロセッサは、メモリ内の情報を読み取り、そのハードウェアと結合して、上記方法のステップを完成する。
【０１８０】
本開示の実施例は、コンピュータプログラムを記憶したコンピュータ読取可能な記憶媒体を更に提供しており、当該プログラムがプロセッサによって実行されると、本開示の実施例に記載の、端末に適用されるリソース割当方法のステップが実現されるか、或いは、当該プログラムがプロセッサによって実行されると、本開示の実施例に記載の、ネットワーク機器に適用されるリソース割当方法のステップが実現される。
【０１８１】
本願によるいくつかの実施例において、開示された機器及び方法が他の方式で実現され得ることを理解されたい。例えば、上記で説明した機器実施例は、例示的なものに過ぎない。例えば、前記ユニットの分割は、論理機能での分割に過ぎず、実際の実現のとき、他の分割方式もあり得る。例えば、複数のユニット又はコンポーネントは、別のＲＡＴに組み合わされるか、或いは統合されてもよいし、いくつかの特徴が無視されるか、或いは実現されなくてもよい。さらに、掲示又は説明した各コンポーネントの相互結合、直接結合又は通信接続は、いくつかのインターフェースを用いて実現されてもよい。機器間又はユニット間の間接結合又は通信接続は、電子的な形態、機械的な形態、又は他の形態であってもよい。
【０１８２】
別個の部品として説明したユニットは、物理的に分離されていても、そうでなくてもよく、ユニットとして掲示した部品は、物理的なユニットであっても、そうでなくてもよく、即ち、同じ場所に位置してもよいし、複数のネットワークユニットに分散されてもよい。本実施例に係る技術案の目的を達成するために、実際のニーズに応じて、一部又は全てのユニットを選択すればよい。
【０１８３】
また、本開示の各実施例における各機能ユニットは、１つの処理ユニットに統合されていてもよいし、各ユニットは、個別に設けられてもよいし、２つ以上のユニットは、１つのユニットに統合されてもよい。上記統合されたユニットは、ハードウェアの形態で実現してもよいし、ハードウェアにソフトウェア機能ユニットを加える形態で実現してもよい。
【０１８４】
当業者であれば理解できるように、上記方法実施例の全て又は一部のステップは、プログラムコードに関連するハードウェアによって実現されてよい。上記プログラムは、コンピュータ読取可能な記憶媒体に記憶されてよい。当該プログラムが実行されると、上記方法実施例のステップが実行される。上記の記憶媒体は、リムーバブルストレージデバイス、ＲＯＭ、ＲＡＭ、磁気ディスク、光ディスクなど、プログラムコードを記憶することができる任意の媒体を含む。
【０１８５】
又は、本開示における上記統合されたユニットは、ソフトウェア機能モジュールの形で実現され、独立した製品として販売又は使用される場合、コンピュータ読取可能な記憶媒体に記憶されてもよい。このような理解に基づいて、本開示の実施例に係る技術案の本質的部分、又は関連技術に対する貢献をもたらす部分は、ソフトウェア製品の形で具現化することができる。当該コンピュータソフトウェア製品は、記憶媒体に記憶され、本開示の各実施例に記載の方法における全て又は一部を、コンピュータデバイス（パーソナルコンピュータ、サーバ、又はネットワーク機器であり得る）に実行させるためのいくつかのコマンドを含む。上記の記憶媒体は、リムーバブルストレージデバイス、ＲＯＭ、ＲＡＭ、磁気ディスク、光ディスクなど、プログラムコードを記憶することができる任意の媒体を含む。
【０１８６】
上述したのは、本開示の具体的な実施形態に過ぎず、本開示の保護範囲は、これに限定されない。当業者であれば、本開示に記載の技術的範囲内で、変形や置換を容易に想到できるが、これらの変形や置換は、全て本開示の保護範囲内とされるべきである。従って、本開示の保護範囲は、添付された特許請求の範囲に従うべきである。
【図１】
2021533694.tif 000007
【図２】
2021533694.tif 000008
【図３】
2021533694.tif 000009
【図４】
2021533694.tif 000010
【図５】
2021533694.tif 000011
【図６】
2021533694.tif 000012
【図７】
2021533694.tif 000013
【図８】
2021533694.tif 000014
【図９】
2021533694.tif 000015
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
端末が第一指示情報及び／又は第二指示情報をネットワーク機器に送信することであって、
前記第一指示情報には、前記端末の帯域の組み合わせの下での電力クラス類型が含まれ、前記第二指示情報には、前記帯域の組み合わせに対応する能力が含まれる、送信することを含む、リソース割当方法。
【請求項２】
前記第二指示情報には、前記帯域の組み合わせに対しての以下の情報、即ち、
第一評価期間内で上り伝送のための、スケジューリングされ得るオーバーオールの最大上り割合と、
第一評価期間内でスケジューリングされ得る又は伝送され得る上り割合の組み合わせと、
第一評価期間内でスケジューリングされ得る又は伝送され得る上り割合の組み合わせ及び上り割合の粒度と、
第一評価期間内でスケジューリングされ得る又は伝送され得る上り割合の組み合わせの識別子と、
第一評価期間内でスケジューリングされ得る又は伝送され得る最大上り割合の組み合わせと、
プライマリキャリア又は第一ＲＡＴの下での時分割複信ＴＤＤ（ｔｉｍｅ  ｄｉｖｉｓｉｏｎ  ｄｕｐｌｅｘｉｎｇ）の上下り設定が０〜６の１つである場合、又はＦＤＤ（ｆｒｅｑｕｅｎｃｙ  ｄｉｖｉｓｉｏｎ  ｄｕｐｌｅｘｉｎｇ）の場合、第一評価期間内で、セカンダリキャリア又は第二ＲＡＴキャリアにおいて、スケジューリングされ得る又は伝送され得る上り割合の組み合わせと、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせ、及び上り割合の粒度と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る上り割合の組み合わせの識別子と、
プライマリキャリア又は第一ＲＡＴの下でのＴＤＤの上下り設定が０〜６の１つである場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が１の場合、又はＦＤＤの場合、第一評価期間内で、セカンダリキャリア又は第二ＲＡＴキャリアにおいて、スケジューリングされ得る又は伝送され得る最大上り割合と、
プライマリキャリア又は第一ＲＡＴの下でのＴＤＤの上下り設定が０及び６でない場合、又はＦＤＤの場合、第一評価期間内で、セカンダリキャリア又は第二ＲＡＴキャリアにおいて、スケジューリングされ得る又は伝送され得る最大上り割合と、
前記端末はプライマリキャリア又は第一ＲＡＴの下でのＴＤＤの第一上下り設定がある場合、第一評価期間内で、セカンダリキャリア又は第二ＲＡＴキャリアにおいて、スケジューリングされ得る又は伝送され得る最大上り割合とのうち、少なくとも１つが含まれる、請求項１に記載の方法。
【請求項３】
前記端末が前記ネットワーク機器からの第三指示情報を受信することであって、前記第三指示情報には、上下り設定情報が含まれる、受信することを更に含み、
前記上下り設定情報には、
前記端末がマルチＲＡＴデュアル接続をサポートする場合、少なくとも１つのプライマリキャリア又は第一ＲＡＴセルの上下り設定情報、及び少なくとも１つのセカンダリキャリア又は第二ＲＡＴセルの上下り設定情報、又は、
前記端末がキャリア集約、デュアル接続、又はＳＵＬをサポートする場合、少なくとも２つのキャリア又はセルの上下り設定情報が含まれる、請求項２に記載の方法。
【請求項４】
前記第一評価期間内でスケジューリングされ得る又は伝送され得るＮＲ（ｎｅｗ  ｒａｄｉｏ）の最大上り割合は、前記上下り設定情報に基づいて特定される、請求項３に記載の方法。
【請求項５】
前記端末が前記ネットワーク機器からの第四指示情報を受信することであって、前記第四指示情報には、電力ヘッドルームレポートＰＨＲ（ｐｏｗｅｒ  ｈｅａｄｒｏｏｍ  ｒｅｐｏｒｔ）の設定情報が含まれる、受信することを更に含み、
前記ＰＨＲの設定情報には、前記端末が異ＲＡＴデュアル接続をサポートする場合のＰＨＲ報告設定情報、又は、前記端末がキャリア集約、デュアル接続をサポートする場合のＰＨＲ報告設定情報が含まれる、請求項１に記載の方法。
【請求項６】
前記端末が前記ＰＨＲの設定情報に基づいて第五指示情報をネットワークに送信することであって、前記第五指示情報には、端末の帯域の組み合わせの下での電力ヘッドルームレポートＰＨＲが含まれる、送信することを更に含む、請求項５に記載の方法。
【請求項７】
前記端末がマルチＲＡＴデュアル接続をサポートする場合のＰＨＲ報告設定情報には、以下の設定情報、即ち、
ＬＴＥネットワークのＰＨＲをＬＴＥネットワークに報告するかどうかの情報、
ＮＲネットワークのＰＨＲをＮＲネットワークに報告するかどうかの情報、
ＮＲネットワークのＰＨＲをＬＴＥネットワークに報告するかどうかの情報、及び
ＬＴＥネットワークのＰＨＲをＮＲネットワークに報告するかどうかの情報のうち、少なくとも１つが含まれる、請求項５に記載の方法。
【請求項８】
前記第五指示情報に含まれるＰＨＲには、
ＬＴＥネットワークのＰＨＲをＬＴＥネットワークに報告する旨、
ＮＲネットワークのＰＨＲをＮＲネットワークに報告する旨、
ＮＲネットワークのＰＨＲをＬＴＥネットワークに報告する旨、及び
ＬＴＥネットワークのＰＨＲをＮＲネットワークに報告する旨のうち、少なくとも１つが含まれる、請求項６に記載の方法。
【請求項９】
第二評価期間内で、もし前記端末の上り送信、又はスケジューリングされた上りの量が前記端末の上り送信能力を超える場合、前記端末が、電力をバックオフさせるか、或いは電力クラスを低下させるように制御することを更に含む、請求項１〜８の何れか一項に記載の方法。
【請求項１０】
前記端末が、電力バックオフ後又は電力クラス低下後の電力に基づいて、サービングセルにおいて自身にとって設定可能な最大出力電力を計算することを更に含む、請求項９に記載の方法。
【請求項１１】
前記上り割合の組み合わせは、電磁放射の比吸収率ＳＡＲ（Ｓｐｅｃｉｆｉｃ  Ａｂｓｏｒｐｔｉｏｎ  Ｒａｔｉｏ）の要求に適合することを保証するために、帯域の組み合わせの集約キャリアの上り割合がサポートされるかどうかを示すものであり、
前記上り割合の粒度は、帯域の組み合わせの集約キャリアの上り割合の間の比率間隔を示すものであり、
前記上り割合の組み合わせの識別子は、上り割合の組み合わせに対応する情報の識別子を示すものであり、前記端末には、上り割合の組み合わせに対応する情報が予め設定される、請求項２に記載の方法。
【請求項１２】
前記第二指示情報は、電磁放射の比吸収率ＳＡＲの要求に適合することを保証するために指示されるものである、請求項２に記載の方法。
【請求項１３】
ネットワーク機器が端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信することと、
前記ネットワーク機器が、前記第一指示情報及び／又は第二指示情報に基づいて、前記端末の上り伝送をスケジューリングすることとを含む、リソース割当方法。
【請求項１４】
端末であって、第一指示情報及び／又は第二指示情報をネットワーク機器に送信するための第一送信ユニットを含み、前記第一指示情報には、前記端末の帯域の組み合わせの下での電力クラス類型が含まれ、前記第二指示情報には、前記帯域の組み合わせに対応する能力が含まれる、端末。
【請求項１５】
第二受信ユニット及びスケジューリングユニットを含むネットワーク機器であって、
前記第二受信ユニットは、端末からの第一指示情報及び／又は第二指示情報を受信することであって、前記第一指示情報には、前記端末の帯域の組み合わせの下での電力クラス類型が含まれ、前記第二指示情報には、前記帯域の組み合わせに対応する能力が含まれる、受信するために用いられ、
前記スケジューリングユニットは、前記第一指示情報及び／又は第二指示情報に基づいて、前記端末の上り伝送をスケジューリングするために用いられる、ネットワーク機器。
【国際調査報告】
2021533694.tif 000016
2021533694.tif 000017
2021533694.tif 000018
2021533694.tif 000019